(57)【要約】      （修正有）【課題】革製品の表皮に革特有の高級感や重量感を感じさせエイジングが現れるアンティーク調の革複合生地及び革製品を提供する。【解決手段】表生地３と裏生地４とで構成される２層構造の革複合生地１であって、表生地３が中古車の自動車用レザーシートの表皮のレザーシート生地であり、該革複合生地１を用いた革製品を造る。【選択図】図１
0003214560.tif 000002
【実用新案登録請求の範囲】
【請求項１】
表生地と裏生地とで構成される２層構造の革複合生地であって、
表生地が中古車の自動車用レザーシートの表皮のレザーシート生地であることを特徴とする革複合生地。
【請求項２】
前記裏生地が本革又はフェイクレザーであることを特徴とする請求項１に記載の革複合生地。
【請求項３】
前記裏生地が布地又はビニール素材の生地であることを特徴とする請求項１に記載の革複合生地。
【請求項４】
前記表生地と裏生地との間に防カビ剤を塗布したことを特徴とする請求項１〜３のいずれかに記載の革複合生地。
【請求項５】
請求項１〜４のうちのいずれかの革複合生地を用いた革製品であることを特徴とする革製品。
【請求項６】
前記革製品が、名刺入れ、財布、カバン，革製キーケース、革製キーホルダー又は革製手帳であることを特徴とする請求項５に記載の革製品。
【考案の詳細な説明】
【技術分野】
【０００１】
本考案は、自動車用レザーシートの表皮のレザーシート生地を備えた革複合生地と、該革複合生地を用いた革製品に関する。
【背景技術】
【０００２】
特許文献１には、本革表皮と、前記本革表皮の裏面に貼り合わされた布地とからなる自動車用本革複合体であって、前記本革複合体は、前記本革表皮より伸びにくいことを特徴とする、自動車用本革複合体が開示されている。
【先行技術文献】
【特許文献】
【０００３】
【特許文献１】特開２００６−２９８３３５号公報
【考案の概要】
【考案が解決しようとする課題】
【０００４】
特許文献１の発明は、特許文献１の段落［０００６］に「伸びやすい本革表皮を引張りや曲げなどの入力が厳しい部位に適用した際の、本革の品質保持を図ることにある。」の記載と［０００７］の「本革表皮における、皺や亀裂の発生、塗膜の剥離を抑制することが可能であることを見出した。」との記載から、表皮には皺やキズがない品質の本革を製造時に使用していることが明らかである。一般的に特許文献１に示すように、装飾品的で高級品的な位置づけの革製品の表皮に対してはツルツルに輝くように見させるために、革製品の表皮には製造出荷時に皺やキズがないことという品質基準があり、そのため、新品の革製品の表皮に皺や変色やキズがある革製品が出荷され店頭で販売されることはなかった。
【０００５】
しかし、革を好む顧客層の中には、皺や変色や破れがあるアンティーク調のデニムのジーパンを購入する顧客層が存在するように、長期間使用しているうちに色等の雰囲気が変わってくるエイジングが現れたアンティーク調の革製品を購入したいと欲する顧客層がニッチ市場として存することが推定され、そのような顧客層にはきちんと対応できていないという問題があった。
【０００６】
本考案はこうした問題に鑑み創案されたもので、一般的に当業者が装飾品的で高級品的な位置づけの革製品のつやつや感がある表皮にエイジングを現した革製品を新製品として出荷し店頭で販売することは容易には想到できないところであるにもかかわらず、革製品の表皮に革特有の高級感や重量感を感じさせエイジングが現れるアンティーク調の革複合生地及び革製品を提供することを課題とする。
【課題を解決するための手段】
【０００７】
請求項１に記載の革複合生地１は、表生地３と裏生地４とで構成される２層構造の革複合生地１であって、表生地３が中古車の自動車用レザーシートの表皮のレザーシート生地であることを特徴とする。
【０００８】
請求項２に記載の革複合生地１は、請求項１において、前記裏生地４が本革又はフェイクレザーであることを特徴とする。
【０００９】
請求項３に記載の革複合生地１は、請求項１において、前記裏生地４が布地又はビニール素材の生地であることを特徴とする。
【００１０】
請求項４に記載の革複合生地１は、請求項１〜３のいずれかにおいて、前記表生地３と裏生地４との間に防カビ剤を塗布したことを特徴とする。
【００１１】
請求項５に記載の革製品２は、請求項１〜４のうちのいずれかの革複合生地１を用いた製品であることを特徴とする。
【００１２】
請求項６に記載の革製品２は、請求項５において、前記革製品２が、名刺入れ、財布、カバン，革製キーケース、革製キーホルダー又は革製手帳であることを特徴とする。
【考案の効果】
【００１３】
請求項１に記載の革複合生地１は、表生地３が中古車の自動車用レザーシートの表皮のレザーシート生地であるため、外観は革材質から受ける高級感や重厚感を漂わせ、店頭で販売する商品でありながら、長期間使用しているうちに皺が生じ、キズが出き、色等の雰囲気が変わってくるエイジングが現れているという効果を奏する。
【００１４】
また、革複合生地１は、自動車用シートのレザーシートは高級車に多く使用されており、例えばメルセデス・ベンツ、ＢＭＷ、アウディ、ランボルギーニ、アルファロメオ、ジャガー、ポルシェ、マセラティ、ランドローバー、ロールスロイス、レクサス、クラウン等の高級車用のレザーシートを表生地としているので、外観で高級車のシートに対するのと同じような高級感や重厚感を感じるという効果を奏する。
【００１５】
請求項２に記載の革複合生地１は、裏生地４に牛革等の本革やフェイクレザーを使用するので、革製品２の内側にも見た目に革感覚が味わえるという効果を奏し、特に裏生地４に牛革等の本革を使用した場合は、革製品２を長期間使用しているうちに色等の雰囲気が変わってくるエイジングが表生地３と同じように裏生地４にも現れるという効果を奏する。
【００１６】
請求項３に記載の革複合生地１は、前記裏生地４に布地又はビニール素材の生地を使用するので革製品２の価格を抑制できるので、表生地３はアンティーク調の高級感や重厚感を漂わせながら革製品２の価格を安価化できるという効果を奏する。
【００１７】
請求項４に記載の革複合生地１は、前記表生地３と裏生地４との間に防カビ剤を添加した接着剤５塗布しているので革にカビが発生すると革が変色しその変色部分を除去しがたいという事態になりにくいように革にカビを発生し難くするという効果を奏する。
【００１８】
請求項５又は６に記載の革製品２は、第三者からよく見える表生地３の部位に高級車の自動車用レザーシートを使用しているので、名刺入れ、財布、カバン，革製キーケース、革製キーホルダー又は革製手帳の革製品に高級感や重厚感を漂わせるという効果を奏する。
【図面の簡単な説明】
【００１９】
【図１】本発明の革複合生地の縦断面図である
【図２】本発明の革複合生地を用いた革製品の例示としてのカバンの１形態を示す斜視図である。
【考案を実施するための形態】
【００２０】
本発明の革複合生地１は、図１に示すように、表生地３と裏生地４とで構成される２層構造の革複合生地１であって、表生地３が中古車の自動車用レザーシートの表皮のレザーシート生地である。
【００２１】
そして、前記表生地３には国内外の自動車の中古車のレザーシート生地が含まれる。
【００２２】
そして、前記中古車の例として、メルセデス・ベンツ、ＢＭＷ、アウディ、ランボルギーニ、アルファロメオ、ジャガー、ポルシェ、マセラティ、ランドローバー、ロールスロイス、レクサス、クラウン等の内外で製造された自動車の自動車用レザーシートを装備した中古車が該当する。また、日本企業が海外で製造した自動車の中古車も該当する。
【００２３】
中古車のレザーシートは、長期間の使用により生じるエイジングはそのままの状態とし、一般的に汚れている箇所があるので使用に当たってはその汚れを除去する作業を行い、予め定めた大きさに切断する。
【００２４】
前記裏生地４を本革又はフェイクレザーとする。前記本革としては例として牛革、豚革、馬革、鹿革、山羊革、羊革等が該当する。また、フェイクレザーには、合成樹脂を使い表面層のみ天然の革に似せた天然皮革の模倣品である合成皮革、及び、表面層だけでなく全体として機能面等を本物の革に近い模倣品である人工皮革が該当する。
【００２５】
また、前記裏生地４を布地又はビニール素材の生地とする。布地としては、ナイロン、ポリエステル、アクリル等の合成繊維を含む化学繊維を材料として編織された布地、あるいは、綿、麻や絹等の天然繊維を材料として編織された布地が該当する。
【００２６】
前記２層構造の革複合生地１は表生地３と裏生地４とを接着剤５塗布や糸で縫う等の接合手段で接合させている。前記接着剤５は表生地３と裏生地４との間の全面には塗布せず、表生地３と裏生地４とが解離しない程度でできるだけ少量になるように予め定めた範囲に塗布する。これは接着剤５を全面に塗布すると表生地３のレザーシート生地が縮むという問題が生ずるためである。そして、防カビ剤を使用する場合は、前記接着剤５に防カビ剤を添加して塗布する。前記防カビ剤としては革製品用の防カビ剤を用いる。
【００２７】
前記革製品２は革複合生地１を用いた製品であり、例えば、図２に示すようなカバンを含むカバン、名刺入れ、財布、革製キーケース、革製キーホルダー又は革製手帳が該当する。カバンには革製ブリーフケース等の収納袋体の製品が含まれる。
【００２８】
前記革製品２は、前記複合生地１を財布やカバン等の予め定めた大きさや形に切断し、革製品２の形体になるように予め定めた位置で折り曲げて、予め定めた端縁を糸で縫製して革製品２の革の領域を製造する。
【符号の説明】
【００２９】
１            革複合生地
２            革製品
３            表生地
４            裏生地
５            接着剤
【図１】
0003214560.tif 000003
【図２】
0003214560.tif 000004